(57)【要約】【課題】  撮影シーンの状況に応じて撮影画像の解像度が変わっても、どの撮影画像も最適な解像度で表示装置に高品位に表示することが可能な撮像装置を提供する。【解決手段】  解像度選択手段で選択された解像度が、表示手段の解像度よりも低い場合に画像信号を強調処理して表示画像信号を形成する表示画像処理手段を有する撮像装置。【選択図】        図３
2006094134.tif 000002
【特許請求の範囲】
【請求項１】
被写体光像を画像信号に光電変換して画像取込みを行う撮像手段と、
前記画像信号に基づいて、前記撮像手段に取り込まれた画像を表示する表示手段と、
前記撮像手段の解像度を選択する解像度選択手段と、
前記撮像手段に取り込まれた画像信号に所定の処理を行う画像信号処理手段と、
前記画像信号処理手段により処理された画像信号を前記表示手段に表示可能な画像信号に処理する表示画像処理手段とを、有し、
前記表示画像処理手段は、
前記解像度選択手段で選択された解像度が、前記表示手段の解像度よりも低いと判断した時に、前記画像信号を強調する処理を行って表示画像信号を形成するものであることを特徴とする撮像装置。
【請求項２】
前記表示画像処理手段で行われる画像信号の強調処理は、撮影待機時、又は撮影後に行われるものであることを特徴とする請求項１に記載の撮像装置。
【請求項３】
前記撮像装置は、複数の表示手段を有するものであることを特徴とする請求項１または２に記載の撮像装置。
【請求項４】
前記表示手段は選択可能であり、前記撮像装置は選択された表示手段の表示可能解像度に基づいて、画像処理が行われるものであることを特徴とする請求項１〜３のいずれか１項に記載の撮像装置。
【発明の詳細な説明】
【技術分野】
【０００１】
本発明は、撮像装置に関し、特に、撮影画像の解像度がどの様な場合でも、高品位な画像表示が可能な撮像装置に関する。
【背景技術】
【０００２】
デジタルカメラにおいては、撮影待機画像や撮影した再生画像を視認するためのＬＣＤ（Ｌｉｑｕｉｄ  Ｃｒｙｓｔａｌ  Ｄｉｓｐｌａｙ）（液晶表示素子）を用いた表示装置が設けられているものが多い。また、近年では高倍率ズームカメラの普及に伴い、ファインダにＥＶＦ（Ｅｌｅｃｔｒｏｎｉｃ  Ｖｉｅｗ  Ｆｉｎｄｅｒ）（電子ビューファインダ）を搭載したものが増えている。今後、デジタルカメラの高性能化に伴い、表示装置には高解像で高精細な画像表示が行えるものが要求されるものと予想される。特に、ＥＶＦを搭載したカメラでは、光学ファインダと同じ様に画像の視認や微妙なフォーカス調整といった操作を表示装置で行いたいというニーズに対し、ＶＧＡ（Ｖｉｄｅｏ  Ｇｒａｐｈｉｃｓ  Ａｒｒａｙ：６４０×４８０ドット）や、ＳＶＧＡ（Ｓｕｐｅｒ  Ｖｉｄｅｏ  Ｇｒａｐｈｉｃｓ  Ａｒｒａｙ：８００×６００ドット）といった高画素のグラフィックスサブシステムをディスプレイ用のデバイスに使用するものと見られている。
【０００３】
そして、あらゆる撮影シーンに対して高解像度の画像表示を行える様にするには、データの取込みや画像処理等を高速で行わなければならず、パーフォーマンスの高いハードウェアが必要になる。ところが、パーフォーマンスのそれほど高くないハードウェアを用いて撮影、表示を行わなくてはならないケースも多く、この様な場合には、フレームレートの低いぎこちない画像となってしまう。例えば、スポーツシーンの様に動きの激しい被写体を撮影する場合、被写体の動きにファインダが追従できなくなって構図を決めるのが困難になることがある。又、ファインダの表示解像度を低くして操作性を確保する方法もあるが、例えば、風景やポートレート写真を撮影する場合は、色の再現性や鮮鋭度が低下して被写体を正確にかつ高品位な画質で再現することがとても難しくなる。
【０００４】
このような問題を解決するために、デジタルカメラの撮影では、表示装置の性能に合わせて撮影シーン毎に撮影画像の解像度を最適なものに切り換え、表示画像で視認できるようにして、デジタルカメラの操作性を向上させる方法がある。
【０００５】
例えば、カメラ装置とカメラの撮影解像度よりも低い解像度の画像表示装置より構成され、画像表示装置の縦と横の画素数をカメラが自動的に取得することにより画像表示装置に適した撮影画像を得られる様にした撮影画像通信システムの技術がある（例えば、特許文献１参照）。
【０００６】
また、デジタルカメラで得られた画像データを接続部を介してモニタ装置に転送、表示する際に、外部から入力したトリガ信号に基づいて、デジタルカメラにおける解像度やフレームレートを切り換えたり、デジタルカメラで得られた画像データに圧縮等の処理を容易にかつ迅速に行い、モニタ装置に最適な画像データを表示させる様にした技術がある（例えば、特許文献２参照）。
【０００７】
さらに、撮影した画像を電気信号処理してモニタ表示可能にする電子ビューファインダと、電子ビューファインダに表示する画像の解像度を変更する選択手段とを備え、撮影シーンに応じて選択手段により撮影条件に適した解像度を選択して、撮影画像の解像度を電子ビューファインダの表示性能に合わせることで、最適な画像表示を行える様にしたカメラの技術がある（例えば、特許文献３参照）。
【０００８】
この様に、表示装置の表示性能を最大限に活用するために、撮影シーンに応じて撮影装置側の解像度を切り換え、良好な画像表示をモニタ等で行える様にしていた。
【０００９】
ところで、カメラにより得られた撮影画像の解像度（画素数）が、表示装置の解像度（画素数）と同じあるいは高いレベルにあれば、撮影画像を表示装置上に忠実に再現させることができるが、撮影画像の解像度が表示装置の解像度より低いと、表示装置に表示される画像は粗さが目立ち、解像力のない、見劣りする画質になった。
【００１０】
すなわち、撮影画像も表示画像も両方とも解像度がＶＧＡの場合などは問題ないが、撮影画像の解像度がＱＶＧＡ（Ｑｕａｒｔｅｒ  Ｖｉｄｅｏ  Ｇｒａｐｈｉｃｓ  Ａｒｒａｙ：３２０×２４０ドット）で、表示画像の解像度がＶＧＡ（６４０×４８０ドット）の様な場合には、表示部側では画像を拡大して表示することになるため、表示画像は粗さが目立ち、解像度や精細が乏しいものとなり、高品位な表示画像が得られない。
【００１１】
特許文献１の撮影画像通信システムは、撮影画像を携帯電話や携帯型パーソナルコンピュータ等の小型の画像表示部に表示するものであり、この様なシステムの表示装置の解像度はデジタルカメラで得られる撮影画像の解像度よりも通常はるかに低いものである。そして、この文献には、撮影画像の解像度と表示画像の解像度とが乖離している場合の記載が全く見られないので、撮影画像の解像度が表示装置の解像度よりも低い場合に高品位な表示画像を得るという課題を示唆するものではない。同様に、特許文献２や特許文献３も撮影画像の解像度が表示装置の解像度よりも低いために起こる表示画像の画質の劣化を示唆する記載が全く見られないものであった。
【特許文献１】特開２００３−６０９７５号公報
【特許文献２】特開２００２−２２３３８５号公報
【特許文献３】特開平１１−３１３２３０号公報
【発明の開示】
【発明が解決しようとする課題】
【００１２】
本発明は、上記課題に鑑みてなされたものであり、撮影シーンの状況に応じて撮影画像の解像度が変わっても、どの撮影画像も表示装置には最適な解像度で高品位に表示することが可能な撮像装置を提供することを目的とする。特に、撮影画像の解像度が表示装置の解像度よりも低くなった場合でも、表示部には画質の粗れがなく、高解像で高精細な画質を有する画像表示が可能なデジタルカメラなどの撮像装置の提供を目的とする。
【課題を解決するための手段】
【００１３】
上記課題は、下記の請求項１〜４のいずれか１項に記載の発明により達成される。
【００１４】
（請求項１）
被写体光像を画像信号に光電変換して画像取込みを行う撮像手段と、
前記画像信号に基づいて、前記撮像手段に取り込まれた画像を表示する表示手段と、
前記撮像手段の解像度を選択する解像度選択手段と、
前記撮像手段に取り込まれた画像信号に所定の処理を行う画像信号処理手段と、
前記画像信号処理手段により処理された画像信号を前記表示手段に表示可能な画像信号に処理する表示画像処理手段とを、有し、
前記表示画像処理手段は、
前記解像度選択手段で選択された解像度が、前記表示手段の解像度よりも低いと判断した時に、前記画像信号を強調する処理を行って表示画像信号を形成するものであることを特徴とする撮像装置。
【００１５】
（請求項２）
前記表示画像処理手段で行われる画像信号の強調処理は、撮影待機時、又は撮影後に行われるものであることを特徴とする請求項１に記載の撮像装置。
【００１６】
（請求項３）
前記撮像装置は、複数の表示手段を有するものであることを特徴とする請求項１または２に記載の撮像装置。
【００１７】
（請求項４）
前記表示手段は選択可能であり、前記撮像装置は選択された表示手段の表示可能解像度に基づいて、画像処理が行われるものであることを特徴とする請求項１〜３のいずれか１項に記載の撮像装置。
【発明の効果】
【００１８】
請求項１に記載の発明では、撮影シーンに応じて、撮影画像の解像度を表示手段の性能に合わせて最適な表示解像度に切り換えられる様にしてあるので、ＥＶＦ動作の速度パーフォーマンスを制御することができる。その結果、例えば、スポーツシーンを撮影する場合は、撮影解像度を低くして動き追従性を上げても、表示手段には良好な画像が表示されるので、シャッタチャンスを逃さずにイメージどおりの撮影を行うことが可能になった。
【００１９】
また、風景やポートレート写真等の静的でかつＥＶＦで高精細な表示再現性が求められる被写体を撮影する場合に、撮影解像度を高くして撮影結果に近い画像を事前にＥＶＦで確認しながら撮影することが可能になった。
【００２０】
この様に、本発明は、これまで撮影シーンによっては撮影画像の解像度と表示手段の表示解像度とがうまく整合しないために発生していた表示画像画質の劣化問題を解消することを可能にした。すなわち、本発明では表示用の画像信号に対して解像度を強調させる処理を加えてコントラストを上げられる様になったので、どの様な撮影シーンでも高品位の表示画像が得られる様になった。
【００２１】
また、請求項２に記載の本発明によれば、上記の構成で得られた効果に加えて、例えば、動き追従性を重視し、撮影解像度を低くして撮影した動画を表示器にて撮影後に再生する場合において、解像感のある表示画像が得られる様になった。
【００２２】
さらに、請求項３及び請求項４に記載の発明によれば、上記の構成で得られた効果に加えて、例えば、表示ＬＣＤとＥＶＦを備えた撮像装置において、撮影者は撮影シーンや再生状況に応じて最適な表示手段を選択することができるので、好適な表示画像での画像確認が行える様になった。
【発明を実施するための最良の形態】
【００２３】
本発明に係るデジタルカメラの外観について、図１及び図２を用いて説明する。
【００２４】
図１（ａ）は、本発明に係るデジタルカメラ１の正面図、図１（ｂ）は、デジタルカメラ１の背面図である。また、図２（ａ）は、本発明に係るデジタルカメラ１の上面図、図２（ｂ）は、デジタルカメラ１の側面図である。
【００２５】
撮像部２は、マクロズームからなる撮影レンズ及びＣＣＤ（Ｃｈａｒｇｅ  Ｃｏｕｐｌｅｄ  Ｄｅｖｉｃｅ）等の光電変換素子からなる撮像手段を有し、被写体の光学像を画像信号（ＣＣＤの各画素で光電変換された電荷信号により構成される画像信号）に変換して取り込むものである。
【００２６】
カメラ本体部３は、ＬＣＤからなるＬＣＤ表示部６、ＥＶＦ７、パーソナルコンピュータと外部接続する外部接続端子１３を有し、主として前記撮像部２で取り込まれた画像信号に所定の信号処理を施した後、ＬＣＤ表示部６、並びにＥＶＦ７への表示や、後述するメモリカード１４への記録、図示しないパーソナルコンピュータへの転送等の処理を行うものである。
【００２７】
撮像部２の内部には、後述するマクロズームレンズ２０１が配設され、このマクロズームレンズ２０１の後方位置の適所にＣＣＤエリアセンサを備えた撮像回路（図示せず）が設けられている。また、撮像部２内の適所にフラッシュ光の被写体からの反射光を受光する調光センサを備えた調光回路（図示せず）が設けられている。
【００２８】
カメラ本体部３の前面には、図１（ａ）に示すように、上部適所にフラッシュ４が設けられている。また、カメラ本体部３の背面には、図１（ｂ）に示すように、略中央に撮影画像のモニタ表示、及び記録画像の再生表示等を行うためのＬＣＤ表示部６とＥＶＦ７が設けられている。
【００２９】
カメラ本体部３の上面には、図２（ａ）に示すように、撮影画像をキャプチャーし、メモリカード１４に記録するシャッタボタン５と、シャッタボタン５の近くに「記録モード」（図中のＲＥＣ）と「再生モード」（図中のＰＬＡＹ）とを切換設定する撮影モード切替スイッチ１０が設けられている。記録モードは、写真撮影を行うモードであり、再生モードは、メモリカード１４に記録された撮影画像をＬＣＤ表示部６またはＥＶＦ７に再生表示するモードである。
【００３０】
また、カメラ本体部３の上面には、撮影画像の解像度を切替えるための撮影解像度切替スイッチ１１が設けられており、さらに、撮影待機時や再生時に表示画像の任意の領域を拡大表示させるモニタ拡大スイッチ１２が設けられている。
【００３１】
カメラ本体部３の背面には、図１（ｂ）に示すように、再生時に再生画像のコマ送りやズーム操作を行うための再生コマ送りスイッチ／ズームスイッチ９が設けられている。再生コマ送りスイッチ／ズームスイッチ９による記録画像のコマ送りは、再生モードでＬＣＤ表示部６にメモリカード１４に記録された画像をコマ番号とともに表示するもので、ＬＣＤ表示部６に表示されたコマ画像は昇順方向（撮影順の方向）若しくは降順方向（撮影順と逆の方向）に変更指示することも可能である。また、ズーム操作は、再生コマ送りスイッチ／ズームスイッチ９によりテレ方向若しくはワイド方向へズーミングを行うものである。さらに、カメラ本体部３の背面には、画像表示を行う表示手段であるＬＣＤ表示部６とＥＶＦ７とを選択するＥＶＦ切替スイッチ８が設けられている。
【００３２】
次に、デジタルカメラ１の制御系について、図３を用いて説明する。
【００３３】
図３は、デジタルカメラ１のブロック構成図である。同図においては図１及び図２に示した部材と同一の部材には同じ番号を付している。
【００３４】
撮像部２内のマクロズームレンズ２０１には開口量が固定された絞り部材（固定絞り）が設けられている。ＣＣＤエリアセンサ２０２（以下、ＣＣＤ２０２と略称する。）は、Ｒ（赤）、Ｇ（緑）、Ｂ（青）の原色透過フィルタをピクセル単位（画素単位）で市松模様状に配置したカラーエリア撮像センサで全画素を読み出すタイプであり、マクロズームレンズ２０１により結像された被写体の光像を、Ｒ（赤）、Ｇ（緑）、Ｂ（青）の色成分の画像信号（各画素で受光された画素信号の信号列からなる信号）に光電変換して出力するものである。すなわち、ＣＣＤ２０２は、本発明に係るデジタルカメラの撮像手段として機能するものである。
【００３５】
撮像部２における撮影待機状態での露出制御は、絞りが絞りドライバ２０８により開放固定絞りとなっているので、ＣＣＤ２０２の露光量、すなわち、シャッタスピードに相当するＣＣＤ２０２の電荷蓄積時間の調節により行われる。電荷蓄積時間の調節は、先ず、ＣＣＤ２０２により測光された光量データから選択された測光エリアに基づいてカメラ制御ＣＰＵ３１３で露出制御データが演算される。そして、算出された露出制御データと予め設定されているプログラム線図によりタイミングジェネレータ２０９よりＣＣＤ２０２への露光時間が適正となるようにフィードバックされて露出制御が行われる。
【００３６】
なお、被写体輝度が低輝度時に適切なシャッタスピードが設定できない場合は、ＣＣＤ２０２から出力される画像信号のレベル調整を行うことにより、露光不足による不適正露出が補正される。すなわち、低輝度時は、シャッタスピードとゲイン調整とを組み合わせて露出制御が行われる。画像信号のレベル調整は、後述する信号処理回路２０３内のＡＧＣ回路２０５のゲイン調整において行われる。
【００３７】
撮影時は、前記露出制御データに基づいて予め設定されたプログラム線図により絞りドライバ２０８とタイミングジェネレータ２０９でＣＣＤ２０２への露光量を制御する。
【００３８】
タイミングジェネレータ２０９は、カメラ本体部３から送信される基準クロックに基づきＣＣＤ２０２の駆動制御信号を生成するものである。タイミングジェネレータ２０９は、例えば積分開始／終了（露出開始／終了）のタイミング信号、各画素の受光信号の読出制御信号（水平同期信号，垂直同期信号，転送信号等）等のクロック信号を生成し、ＣＣＤ２０２に出力する。
【００３９】
電荷蓄積が完了すると光電変換された信号は遮光されたＣＣＤ２０２内の転送路へとシフトされここからバッファを介して読み出される。
【００４０】
信号処理回路２０３は、ＣＣＤ２０２から出力される画像信号（アナログ信号）に所定のアナログ信号処理を施すものである。信号処理回路２０３は、ＣＤＳ（相関二重サンプリング）回路２０４とＡＧＣ（オートゲインコントロール）回路２０５とを有し、ＣＤＳ回路２０４により画像信号のノイズの低減を行い、ＡＧＣ回路２０５のゲインを調整することにより画像信号のレベル調整を行う。
【００４１】
Ａ／Ｄ変換器２０６は、撮像部２から入力された画像信号の各画素信号を１２ビットのデジタル信号に変換するものである。Ａ／Ｄ変換器２０６は、タイミング制御回路から入力されるＡ／Ｄ変換用のクロックに基づいて各画素信号（アナログ信号）を１２ビットのデジタル映像信号に変換する。
【００４２】
このデジタル映像信号は、画像処理ＣＰＵ３０１で所定の処理を行い画像ファイルを形成する。すなわち、画像処理ＣＰＵ３０１は、本発明に係るデジタルカメラにおける画像処理手段として機能するものである
画像処理ＣＰＵ３０１に取り込まれた画像データは、ＣＣＤ２０２から出力される画像信号の読出しに同期して画像メモリ３１２に書き込まれる。以後この画像メモリ３１２のデータにアクセスして各ブロックの処理を行う。
【００４３】
画素補間部３０２は、画像メモリ３１２に記録された画像データをＲ、Ｇ、Ｂ各画素それぞれのフィルターパターンでマスキングした後、高帯域まで画素を持つＧについてはメディアン（中間値）フィルターで周辺４画素の中間２値の平均値に置換し、Ｒ、Ｂに関しては周囲９画素から同色に対して平均補間する。
【００４４】
解像度変換部３０３は、画素補間が行われた画像信号を、水平垂直方向への縮小、または、間引きして、設定された記録画像画素数へ解像度変換を行うものである。また、モニタに表示する画像についても、ここで水平画素の間引きを行い、ＬＣＤ表示部６、ＥＶＦ７に正確に表示できる様に画像データを低解像度の画像に変換する。
【００４５】
ホワイトバランス制御部３０４は、解像度変換を行ったＲ、Ｇ、Ｂの各色成分の画像信号のレベル変換を行うものである。ホワイトバランス処理は、撮影待機状態の時に、画像メモリ３１２より読み出された画像データから本来白色とされる部分を輝度、彩度等のデータより推測し、その部分のＲ、Ｇ、Ｂそれぞれの平均、Ｇ／Ｒ比、Ｇ／Ｂ比を求め、Ｒ、Ｂの補正ゲインとして補正制御するものである。なお、画像メモリ３１２から読み出された画像データに代えて、図示しない外光センサで検知された輝度及び彩度等を用いることも可能である。
【００４６】
シェーディング補正部３０６は、ホワイトバランス処理が行われた画像信号の色ムラや輝度ムラ等の補正を行うものである。
【００４７】
ガンマ補正部３０５は、シェーディング補正された画像信号のγ特性を補正し、各出力機器に合う様に非線形変換を行った８ビットデータへと変換する。変換された画像信号は、その後、マトリックス演算によりＲＧＢからＹ、Ｒ−Ｙ、Ｂ−Ｙデータに演算され、画像メモリ３１２に格納される。
【００４８】
撮影待機状態においては、撮像部２により１／３０（秒）毎に撮像された画像の各画素データが撮影解像度切替スイッチ１１で選択された撮影解像度に基づき、解像度変換部３０３で間引き処理が行われる。すなわち、撮影解像度切替スイッチ１１は、本発明に係るデジタルカメラにおける撮影解像度選択手段として機能するものである。そして画素補間部３０２よりシェーディング補正部３０６にかけての所定の信号処理が施された後、画像メモリ３１２に記録されるとともに、画像メモリ３１２より読み出されたＶＧＡ、又はＱＶＧＡの低解像度画像を、ＥＶＦドライバ３１０またはＬＣＤドライバ３１１で、撮影画像の解像度に応じた表示画像用の信号処理を行い、さらに、ＮＴＳＣ／ＰＡＬにエンコードし、これをフィールド画像としてＬＣＤ表示部６またはＥＶＦ７に表示させる。すなわち、ＥＶＦドライバ３１０またはＬＣＤドライバ３１１は、本発明に係るデジタルカメラにおける表示画像処理手段として機能するものである。これにより、撮影者はＬＣＤ表示部６またはＥＶＦ７に表示された画像により被写体像の視認が可能になる。すなわち、ＬＣＤ表示部６またはＥＶＦ７は、本発明に係るデジタルカメラにおける表示手段として機能するものである。
【００４９】
また、画像記録時は設定された解像度の画像を画像圧縮部３０７で圧縮処理した後、メモリカードドライバ３０８よりメモリカード１４に圧縮画像を記録する。
【００５０】
また、再生モードでは、メモリカード１４から読み出された画像信号は画像処理ＣＰＵ３０１で所定の信号処理を施された後、ＥＶＦドライバ３１０またはＬＣＤドライバ３１１を介してＬＣＤ表示部６またはＥＶＦ７に表示される。
【００５１】
スイッチ群３１４は、図１及び図２のシャッタボタン５、ＥＶＦ切替スイッチ８、再生コマ送りスイッチ／ズームスイッチ９、撮影モード切替スイッチ１０、撮影解像度切替スイッチ１１、モニタ拡大スイッチ１２等に相当するものである。
【００５２】
画像処理ＣＰＵ３０１は、マイクロコンピュータからなり、上述した撮像部２内及びカメラ本体部３内の各部材の駆動を制御して、デジタルカメラ１の撮影動作を統括制御するものである。また、画像処理ＣＰＵ３０１は、撮影画像を記録する際に画像記録用の圧縮画像を生成する画像圧縮部３０７を備えている。
【００５３】
画像圧縮部３０７は、撮影画像に２次元ＤＣＴ変換、ハフマン符号化等のＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）方式による所定の圧縮処理を施して圧縮率Ｋの圧縮画像データを生成し、この圧縮画像データをメモリカード１４に記録する。
【００５４】
撮影解像度には、例えば、なめらかモード、高精細モードといったモードがあり、撮影解像度切替スイッチ１１にて選択することができる。
【００５５】
なめらかモードとは、スポーツシーンなどの動きの激しい被写体の撮影を行う場合に、撮影解像度を低くして動き追従性を上げる様にする撮影解像度のモードのことをいう。なめらかモードに設定することにより、動きの激しい被写体を撮影する際の構図の決定が容易になり、シャッタチャンスを逃さずに撮影ができるようになる。
【００５６】
また、高精細モードとは、風景撮影などの静的で、かつ、ファインダでの表示再現性が要求される被写体を撮影する場合に、撮影解像度を高くして色の再現性や鮮鋭性を高める様にする撮影解像度のモードのことをいう。高精細モードに設定することにより、撮影者は撮影結果に近い画像をファインダで確認しながら撮影することができるようになる。
【００５７】
次に、デジタルカメラ１の撮影待機時における表示画像制御について、図４のフロー図に従って説明する。
【００５８】
先ず、撮影待機時の初期画像としてＶＧＡ画像が表示される（ステップＳ１）。次に、撮影解像度切替スイッチ１１で選択されている解像度モードが、なめらかモードか高精細モードかを判断する（ステップＳ２）。
【００５９】
ここで、なめらかモードが選択されている場合（ステップＳ２；Ｙｅｓ）は、撮像部２より取り込まれたＶＧＡ画像信号を画像処理ＣＰＵ３０１の解像度変換部３０３で間引き処理してＱＶＧＡ画像信号に変換する（ステップＳ３）。また、高精細モードが選択されている場合（ステップＳ２；Ｎｏ）は、撮像部２から取り込まれたＶＧＡ画像信号に前述した解像度変換部３０３での間引き処理を行わずにＶＧＡ画像信号として処理する（ステップＳ９）。
【００６０】
次に、ステップＳ３でＱＶＧＡ画像信号に変換された画像信号、あるいは、ステップＳ９でＶＧＡ画像信号として処理された画像信号に、画像処理ＣＰＵ３０１の画素補間部３０３からシェーディング補正部３０６にかけての所定の画像処理を行い(図３参照)（ステップＳ４）、画像処理後の画像信号は画像データとして画像メモリ３１２に記録される（ステップＳ５）。
【００６１】
次に、画像メモリ３１２に記録された画像データを画像処理ＣＰＵ３０１により読み出す（ステップＳ６）。ここで、読み出された画像データが、間引き処理を行ったものか、間引き処理しなかったものかを判定する（ステップＳ７）。
【００６２】
間引き処理を経て形成された画像データ、すなわちＱＶＧＡの画像データの場合（ステップＳ７のＹｅｓ）には、ＥＶＦドライバ３１０またはＬＣＤ表示ドライバ３１１で表示画像用の信号処理を以下の手順で行う。先ず、画像データのγ特性を変更して画像が強調される様に処理する。次に、表示手段の表示解像度（ＶＧＡ）に合わせ、ＱＶＧＡの画像データをＶＧＡ画像データに拡大する。さらに、フレームレートを上げる（例えば、フレームレートを６０ｆｐｓに変更する）（ステップＳ８）。
【００６３】
そして、この信号処理を施した画像データをＥＶＦあるいはＬＣＤ表示部に供給して画像表示させる（ステップＳ９）。
【００６４】
一方、読み出された画像データが、間引き処理を経なかったもの、すなわちＶＧＡの画像データの場合（ステップＳ７のＮｏ）は、ＥＶＦドライバ３１０またはＬＣＤ表示ドライバ３１１では次の手順で表示画像用の信号処理を行う。すなわち、γ特性を標準設定とし画像処理は控えめに行う。そして、フレームレートは基本のもの（例えば、３０ｆｐｓ（フレーム／ｓｅｃ））に設定する（ステップＳ１１）。そして、信号処理を施した画像データをＥＶＦあるいはＬＣＤ表示部に供給して画像表示させる（ステップＳ９）。
【００６５】
次に、デジタルカメラ１の動画再生時における表示画像制御について図５に示すフローチャートに従って説明する。
【００６６】
ステップＳ２１では、先ず、画像処理ＣＰＵ３０１にてメモリカード１４に記録された画像データを読み出し（ステップＳ２１）、続いて、画像処理ＣＰＵ３０１で解凍処理を行って信号処理した画像データを再生画像データとしてＥＶＦドライバ３１０またはＬＣＤドライバ３１１に送り出す（ステップＳ２２）。
【００６７】
次に、ＥＶＦドライバ３１０またはＬＣＤドライバ３１１では、送信されてきた前述の再生画像データの解像度の判別を行う。解像度の判別は、再生画像データがＶＧＡか、ＱＶＧＡかを判別することにより行われる（ステップＳ２３）。
【００６８】
再生画像データが、ＱＶＧＡであると判断されると（ステップＳ２４；Ｙｅｓ）、先ほどの図４中のステップＳ８の処理と同じ処理を再生画像データに行って表示画像信号に変換する。すなわち、再生画像データには、画像データのγ特性を変更して画像を強調させる処理を行い、次に、表示手段の表示解像度（ＶＧＡ）に合わせ、ＱＶＧＡの画像データをＶＧＡ画像データに拡大し、さらに、フレームレートを上げる（例えば、フレームレートを６０ｆｐｓ（フレーム／ｓｅｃ）に変更する）という一連の処理を行う（ステップＳ２５）。
【００６９】
また、再生画像データが、ＶＧＡであると判断された場合（ステップＳ２４；Ｎｏ）は、先ほどの図４中のステップＳ１１と同じ処理を画像再生データに行って表示画像信号に変換する。すなわち、γ特性を標準設定として画像処理を控えめに行い、フレームレートは基本のもの（例えば、３０ｆｐｓ）に設定するという一連の処理を行う（ステップＳ２７）。
【００７０】
これらの処理を経て得られた表示画像信号をＥＶＦ７またはＬＣＤ表示部６に表示する（ステップＳ２６）。
【００７１】
なお、本発明に係る撮像装置における撮影画像の解像度（撮影解像度）と表示画像の解像度（表示解像度）の関係は、下記の表１に示す様に、撮像装置の設定モード、すなわち、撮影モード、再生モードに応じて複数個の組合せが存在する。例えば、上述した図４のフローチャートのケースは、表１中のＮｏ．３とＮｏ．４に示す撮影モード時における表示画像制御に該当するものである。また、図５に示したフローチャートのケースは、Ｎｏ．３とＮｏ．４の再生モード時における表示画像制御に該当するものである。この他に、本発明に係る撮像装置で選択可能な表示画像制御は、表１中のＮｏ．１、Ｎｏ．２、Ｎｏ．５に示すものが挙げられる。
【００７２】
【表１】
2006094134.tif 000003
【００７３】
この様に、本発明に係るデジタルカメラでは、撮影画像の解像度に応じた変換処理を行って表示画像が得られるので、たとえ、撮影画像の解像度が表示画像の解像度よりも低くなっても、画像が荒れることなく高精細、高解像の画質を有する画像をデジタルカメラの表示部に表示される。
【００７４】
また、上述した実施例は、デジタルカメラについての実施例について説明したが、本発明はこれに限定されるものではなく、撮像手段を具備した、ビデオカメラ、携帯電話に対しても応用できることは言うまでもない。
【図面の簡単な説明】
【００７５】
【図１】本発明に係るデジタルカメラの正面図、及び、背面図である。
【図２】本発明に係るデジタルカメラの上面図、及び、側面図である。
【図３】本発明に係るデジタルカメラのブロック構成図である。
【図４】撮影待機時における表示画像制御の流れを示すフロー図である。
【図５】動画再生時における表示画像制御の流れを示すフロー図である。
【符号の説明】
【００７６】
１  デジタルカメラ
２  撮像部
２０１  マクロズームレンズ
２０２  ＣＣＤエリアセンサ
２０３  信号処理回路
２０４  ＣＤＳ回路
２０５  ＡＧＣ回路
２０６  Ａ／Ｄ変換器
２０７  フォーカスモータードライバ
２０８  絞りドライバ
２０９  タイミングジェネレータ
３  カメラ本体部
３０１  画像処理ＣＰＵ
３０２  画素補間部
３０３  解像度変換部
３０４  ホワイトバランス制御部
３０５  ガンマ補正部
３０６  シェ−ディング補正部
３０７  画像圧縮部
３０８  メモリカードドライバ
３０９  画像相関検出部
３１０  ＥＶＦドライバ
３１１  ＬＣＤドライバ
３１２  画像メモリ
３１３  カメラ制御ＣＰＵ
３１４  スイッチ群
４  フラッシュ
５  シャッタボタン
６  ＬＣＤ表示部
７  ＥＶＦ
８  ＥＶＦ切換スイッチ
９  再生コマ送りスイッチ／ズームスイッチ
１０  撮影モード切替スイッチ
１１  撮影解像度切替スイッチ
１２  モニタ拡大スイッチ
１３  外部接続端子
１４  メモリカード
【図１】
2006094134.tif 000004
【図２】
2006094134.tif 000005
【図３】
2006094134.tif 000006
【図４】
2006094134.tif 000007
【図５】
2006094134.tif 000008